(57)【要約】      （修正有）【課題】側溝専用のものとして何人も効率良く清掃できるようにした側溝掃除具を提供すると共に、側溝の底だけでなく、両側壁も同時に往復の拭き取り操作で有効に清掃できるようにした側溝掃除具を提供する。【解決手段】方形の基板２の下面全域に剛性刷毛を植毛起立したブラシュ体１と、該ブラシュ体１の前面に直交したヘラ片４とより成り、前記ブラシュ体１には把持用摘子５と着脱自在の把持棒の取付部６を設けて成ることを特徴とする。【選択図】図１
0003191409.tif 000002
【実用新案登録請求の範囲】
【請求項１】
方形の基板の下面全域に剛性刷毛を植毛起立したブラシュ体と、該ブラシュ体の前面に直交したヘラ片とより成り、前記ブラシュ体には把持用摘子と着脱自在の把持棒の取付部を設けて成ることを特徴とする側溝掃除具。
【請求項２】
ヘラ片は、硬質ゴム製で形成され、ヘラ片の横幅はブラシュ体の植毛起立した剛性刷毛の横幅より１割から２割程度大きく形成できることを特徴とする請求項１記載の側溝掃除具。
【請求項３】
把持用摘子は、ブラシュ体に対して着脱自在の螺杆を備え、ヘラ片の基部中央の透孔を介してヘラ片をブラシュ体に着脱自在に固定できるようにして成ることを特徴とする請求項１記載の側溝掃除具。
【考案の詳細な説明】
【技術分野】
【０００１】
本考案は、道路の側溝に嵌合されるＵ字状金属側溝板を清掃するための側溝掃除具に関する。
【背景技術】
【０００２】
一般に、道路の一方又は両端に側溝が設けられ、その側溝には、一般にはグレイチング（ｇｒａｔｉｎｇ）と呼ばれる遮蔽用の蓋板が設けられている。そして、蓋板には短尺又は長尺な金属製で形成されている。しかも、多くの場合、側溝に被着させている（例えば、特許文献１参照）。
【０００３】
他方、側溝にはコンクリート製のＵ字状枠体を設けたものが一般的であるが、これに代わってＵ字状金属側溝板を設けたものが知られている。
【先行技術文献】
【特許文献】
【０００４】
【特許文献１】特開２００９−１６１９６１号公報
【考案の概要】
【考案が解決しようとする課題】
【０００５】
特に、側溝にＵ字状金属側溝板を設けた構成のものは、アパート，マンション等の集合住宅の各階の通路に設けられるものが多く、清掃はアパートやマンションの所有者ないしは管理者が独自に清掃しなければならないという課題があった。
【０００６】
そして、専用の掃除具がなく、多くの場合、床磨き用の刷毛とか箒を用いて行っていた。
【０００７】
本考案は叙上に点に着目して成されたもので、側溝専用のものとして何人も効率良く清掃できるようにした側溝掃除具を提供することを目的とする。
【０００８】
そして、側溝の底だけでなく、両側壁も同時に往復の拭き取り操作で有効に清掃できるようにした側溝掃除具を提供することを目的とする。
【課題を解決するための手段】
【０００９】
この考案は下記の構成を備えることにより上記課題を解決できるものである。
【００１０】
（１）方形の基板の下面全域に剛性刷毛を植毛起立したブラシュ体と、該ブラシュ体の前面に直交したヘラ片とより成り、前記ブラシュ体には把持用摘子と着脱自在の把持棒の取付部を設けて成ることを特徴とする側溝掃除具。
【００１１】
（２）ヘラ片は、硬質ゴム製で形成され、ヘラ片の横幅はブラシュ体の植毛起立した剛性刷毛の横幅より１割から２割程度大きく形成できることを特徴とする前記（１）記載の側溝掃除具。
【００１２】
（３）把持用摘子は、ブラシュ体に対して着脱自在の螺杆を備え、ヘラ片の基部中央の透孔を介してヘラ片をブラシュ体に着脱自在に固定できるようにして成ることを特徴とする前記（１）記載の側溝掃除具。
【考案の効果】
【００１３】
本考案によれば、ブラシュ体には剛性刷毛と直交したヘラ片とが設けられているので、道路の側溝に嵌合させてあるＵ字状金属側溝板の内側、特に底面及び両側面とが、同時に引掻き操作でこび付いた汚れを綺麗に除去でき、ひどいゴミの場合は長尺な把持棒をつけて両手で力強く清掃作業ができると共に、把持棒を取り外して片手で操作することもできる。
【図面の簡単な説明】
【００１４】
【図１】本考案に係る側溝清掃具の一実施例を示すもので、（ａ）は平面図、（ｂ）は底面図を示す。
【図２】向上の側面断面図で、把持杆を取り付けた状態を示す。
【図３】側溝を掃除する場合の側面図で、（ａ）はブラシュ体の剛性刷毛を用いた場合、（ｂ）はヘラ片を用いた場合を示す。
【図４】図３（ｂ）のｃ−ｃ線断面図を示す。
【図５】側溝の両側面を掃除する場合の平面図を示し、（ａ）は矢符方向Ｐに操作する場合、（ｂ）は逆の矢符方向Ｑに操作する場合を夫々示す。
【考案を実施するための形態】
【００１５】
以下本考案を実施するための最良の形態を、実施例により詳しく説明する。
【実施例】
【００１６】
以下に、本考案に係る実施例を図面と共に説明する。
【００１７】
１は、略方形状の基板２を備えるブラシュ体で、基板２の下面全域に、硬質な剛性刷毛３を植毛起立させてある。４は基板２の上部前面に把持用摘子５で確固に固着させた略方形の硬度を備えたゴム製のヘラ片で、両側縁４ａ，４ａ及び下端縁４ｂで路溝に嵌合されるＵ字状金属側溝板Ｘの両側面Ｘ１，Ｘ１及び底面Ｘ２と摺接して付着したゴミを剥取清掃させることを可能としている。なお、端縁にはナイフ状の鋭角部αを設けて、付着した汚物の剥取を有効に使わせることに配慮してある。６は、ブラシュ体１の後部に突出して設けた市販用の把持棒７の着脱用の取付部であって、把持棒７の基端のチャック８を、レバー９を操作して取付部６と係脱できる。
【００１８】
なお、図２に示すように基板２に対してヘラ片４は、単に把持用摘子５で螺合固着するだけでなく、当板１０と止ビス１１を介して複合的に固着しているが、その止め着、固定の仕方は何等特定されない。
【００１９】
また、把持棒７のチャック８は、長手平板状であり、したがって基板２の取付部６も亦、基板２と平行状の長手状として形成するものである。
【００２０】
叙上の構成に基づいて作用を説明する。
【００２１】
この掃除具には、ブラシュ体１とヘラ片４を直交して配設してあるので、ブラシュ体１を使用したい時は、図３（ａ）のようにブラシュ体１の剛性刷毛３を下向けにしてＵ字状金属側溝板Ｘの底面Ｘ２に当接させて摺動させることにより、極めて簡単に汚物を除去して清掃できると共に、９０度傾けてレバー９を底面Ｘ２に当接させ、図３（ｂ）のように使用すれば、こびりついた汚物も簡単に取り除くことができる。
【００２２】
しかも、ヘラ片４を用いる時は、ヘラ片４の横幅の長さＬは、ブラシュ体１の横幅の長さｌより１割近く長いので、Ｕ字状金属側溝板Ｘの両側面Ｘ１，Ｘ１が底面Ｘ２の清掃と同時に処理できるもので、極めて能率よく浄化清掃できる（図５（ａ），（ｂ）参照）。
【００２３】
Ｕ字状金属側溝板Ｘの汚れがひどい時などは、水や薬剤を加えた浄化水を用いて行えば清掃作業もより速く行えると共に、省力での作業を促し、常に浄化されたＵ字状金属面側溝板Ｘを確保でき、耐久性も格段と向上できる。
【００２４】
力を入れないで作業する場合、把持棒７を外して、片手や両手で把持用摘子５を持って簡単に行えるという利点もある。
【００２５】
なお、分解したい時は、簡単に取り外して磨いて長期の使用を可能にできる。
【符号の説明】
【００２６】
１    ブラシュ体
２    基板
３    剛性刷毛
４    ゴム製のヘラ片
４ａ  両側縁
４ｂ  下端縁
５    把持用摘子
６    取付部
７    把持棒
８    チャック
９    レバー
１０  当板
１１  止ビス
Ｘ    Ｕ字状金属側溝板
Ｘ１  側面
Ｘ２  底面
α    ナイフ状の鋭角部
Ｌ    ヘラ片の横幅の長さ
ｌ    横幅の長さ
【図１】
0003191409.tif 000003
【図２】
0003191409.tif 000004
【図３】
0003191409.tif 000005
【図４】
0003191409.tif 000006
【図５】
0003191409.tif 000007